【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
各ユーザが所有するクーポンを示すクーポンデータを、当該クーポンデータを所有するユーザ情報と紐付けて管理する管理手段と、
ユーザが購入可能な商品の選択画面を表示するように制御する商品選択画面表示制御手段と、
前記ユーザがクーポンデータを所有しているか否かを、前記管理手段に当該ユーザ情報と紐付けて管理するクーポンデータがあるか否かにより判定する判定手段と、
前記商品選択画面表示制御手段で表示するように制御された前記商品選択画面を介して、前記ユーザから選択を受け付けた商品の購入手続を行う指示を受け付ける購入手続指示受付手段と、
前記購入手続指示受付手段で購入指示を受け付けた前記商品の購入手続に係る画面を表示するように制御する表示制御手段であって、前記判定手段により、前記ユーザがクーポンデータを所有していると判定されることを条件に、クーポンデータを使用するためのクーポン情報入力領域を有する前記商品の購入手続に係る画面を表示すように制御し、一方、前記ユーザがクーポンデータを所有していないと判定されることを条件に、当該画面を表示することなく、前記クーポン情報入力領域を有してない前記商品の購入手続に係る画面を表示するように制御する表示制御手段と、
前記表示制御手段により表示するように制御された前記クーポン情報入力領域を有する前記商品の購入手続に係る画面を介して、ユーザが使用するクーポンデータを示す情報の入力を受け付けるクーポン情報入力受付手段と
を備えることを特徴とする情報処理装置。
【請求項２】
前記管理手段は、前記クーポンデータにより商品を割引可能な金額を更に管理し、
前記クーポン情報入力受付手段は、更に、前記クーポンデータにより商品を割引可能な金額のうち、前記購入手続指示受付手段により購入手続を行なう指示を受け付けた商品に使用する金額の入力を受け付け、
前記クーポン情報入力受付手段により入力を受け付けた金額を、前記管理手段で管理する金額から減算する減算手段を備えることを特徴とする請求項１に記載の情報処理装置。
【請求項３】
前記判定手段により、前記ユーザがクーポンデータを所有している場合に、当該クーポンデータが、前記購入手続指示受付手段により購入手続を行なう指示を受け付けた商品に有効であるか否かを判定する有効判定手段を備え、
前記表示制御手段は、前記有効判定手段により、前記購入手続指示受付手段により購入手続を行なう指示を受け付けた商品に有効であると判定されると、前記クーポン情報入力領域を有する前記商品の購入手続に係る画面を表示するように制御し、一方、前記購入手続指示受付手段により購入手続を行なう指示を受け付けた商品に有効でないと判定されると、当該画面を表示することなく、前記クーポン情報入力領域を有してない前記商品の購入手続に係る画面を表示するように制御することを特徴とする請求項１または２に記載の情報処理装置。
【請求項４】
前記管理手段は、各ユーザが所有するクーポンを示すクーポンデータを、当該クーポンデータにより割引される商品を特定可能な商品情報と紐付けて管理し、
前記購入手続指示受付手段により購入手続を行なう指示を受け付けた商品が複数ある場合に、前記有効判定手段は、当該商品の商品情報と紐付くクーポンデータであって、有効なクーポンデータが前記管理手段により管理されているかを商品ごとに判定し、
前記表示制御手段は、前記有効判定手段により１つでも前記商品情報と紐付く有効なクーポンデータが管理されていると判定されることを条件に、前記クーポン情報入力領域を有する前記商品の購入手続に係る画面を表示するように制御し、一方、前記商品情報と紐付く有効なクーポンデータが１つも管理されていないと判定されることを条件に、当該画面を表示することなく、前記クーポン情報入力領域を有してない前記商品の購入手続に係る画面を表示するように制御することを特徴とする請求項３に記載の情報処理装置。
【請求項５】
各ユーザが所有するクーポンを示すクーポンデータを、当該クーポンデータを所有するユーザ情報と紐付けて管理する管理手段を備える情報処理装置の制御方法であって、
ユーザが購入可能な商品の選択画面を表示するように制御する商品選択画面表示制御工程と、
前記ユーザがクーポンデータを所有しているか否かを、前記管理手段に当該ユーザ情報と紐付けて管理するクーポンデータがあるか否かにより判定する判定工程と、
前記商品選択画面表示制御工程で表示するように制御された前記商品選択画面を介して、前記ユーザから選択を受け付けた商品の購入手続を行う指示を受け付ける購入手続指示受付工程と、
前記購入手続指示受付工程で購入指示を受け付けた前記商品の購入手続に係る画面を表示するように制御する表示制御工程であって、前記判定工程で、前記ユーザがクーポンデータを所有していると判定されることを条件に、クーポンデータを使用するためのクーポン情報入力領域を有する前記商品の購入手続に係る画面を表示すように制御し、一方、前記ユーザがクーポンデータを所有していないと判定されることを条件に、当該画面を表示することなく、前記クーポン情報入力領域を有してない前記商品の購入手続に係る画面を表示するように制御する表示制御工程と、
前記表示制御工程で表示するように制御された前記クーポン情報入力領域を有する前記商品の購入手続に係る画面を介して、ユーザが使用するクーポンデータを示す情報の入力を受け付けるクーポン情報入力受付工程と
を備えることを特徴とする情報処理装置の制御方法。
【請求項６】
各ユーザが所有するクーポンを示すクーポンデータを、当該クーポンデータを所有するユーザ情報と紐付けて管理する管理手段を備える情報処理装置で読み取り実行可能なプログラムであって、
前記情報処理装置を、
ユーザが購入可能な商品の選択画面を表示するように制御する商品選択画面表示制御手段と、
前記ユーザがクーポンデータを所有しているか否かを、前記管理手段に当該ユーザ情報と紐付けて管理するクーポンデータがあるか否かにより判定する判定手段と、
前記商品選択画面表示制御手段で表示するように制御された前記商品選択画面を介して、前記ユーザから選択を受け付けた商品の購入手続を行う指示を受け付ける購入手続指示受付手段と、
前記購入手続指示受付手段で購入指示を受け付けた前記商品の購入手続に係る画面を表示するように制御する表示制御手段であって、前記判定手段により、前記ユーザがクーポンデータを所有していると判定されることを条件に、クーポンデータを使用するためのクーポン情報入力領域を有する前記商品の購入手続に係る画面を表示すように制御し、一方、前記ユーザがクーポンデータを所有していないと判定されることを条件に、当該画面を表示することなく、前記クーポン情報入力領域を有してない前記商品の購入手続に係る他の画面を表示するように制御する表示制御手段と、
前記表示制御手段により表示するように制御された前記クーポン情報入力領域を有する前記商品の購入手続に係る画面を介して、ユーザが使用するクーポンデータを示す情報の入力を受け付けるクーポン情報入力受付手段と
して機能させることを特徴とするプログラム。
【手続補正２】
【補正対象書類名】明細書
【補正対象項目名】発明の名称
【補正方法】変更
【補正の内容】
【発明の名称】情報処理装置、その制御方法、およびプログラム
【手続補正３】
【補正対象書類名】明細書
【補正対象項目名】００１０
【補正方法】変更
【補正の内容】
【００１０】
本発明の目的は、ユーザがクーポンデータを所有しているか否かによって、購入画面を異ならしめて表示させることで、ユーザがクーポンデータを所有していない場合における、ユーザの商品の購入意欲の低下を防止する仕組みを提供することである。
【手続補正４】
【補正対象書類名】明細書
【補正対象項目名】００１１
【補正方法】変更
【補正の内容】
【００１１】
本発明は、各ユーザが所有するクーポンを示すクーポンデータを、当該クーポンデータを所有するユーザ情報と紐付けて管理する管理手段と、ユーザが購入可能な商品の選択画面を表示するように制御する商品選択画面表示制御手段と、前記ユーザがクーポンデータを所有しているか否かを、前記管理手段に当該ユーザ情報と紐付けて管理するクーポンデータがあるか否かにより判定する判定手段と、前記商品選択画面表示制御手段で表示するように制御された前記商品選択画面を介して、前記ユーザから選択を受け付けた商品の購入手続を行う指示を受け付ける購入手続指示受付手段と、前記購入手続指示受付手段で購入指示を受け付けた前記商品の購入手続に係る画面を表示するように制御する表示制御手段であって、前記判定手段により、前記ユーザがクーポンデータを所有していると判定されることを条件に、クーポンデータを使用するためのクーポン情報入力領域を有する前記商品の購入手続に係る画面を表示すように制御し、一方、前記ユーザがクーポンデータを所有していないと判定されることを条件に、当該画面を表示することなく、前記クーポン情報入力領域を有してない前記商品の購入手続に係る画面を表示するように制御する表示制御手段と、前記表示制御手段により表示するように制御された前記クーポン情報入力領域を有する前記商品の購入手続に係る画面を介して、ユーザが使用するクーポンデータを示す情報の入力を受け付けるクーポン情報入力受付手段とを備えることを特徴とする。
【手続補正５】
【補正対象書類名】明細書
【補正対象項目名】００１２
【補正方法】変更
【補正の内容】
【００１２】
また、本発明は、各ユーザが所有するクーポンを示すクーポンデータを、当該クーポンデータを所有するユーザ情報と紐付けて管理する管理手段を備える情報処理装置の制御方法であって、ユーザが購入可能な商品の選択画面を表示するように制御する商品選択画面表示制御工程と、前記ユーザがクーポンデータを所有しているか否かを、前記管理手段に当該ユーザ情報と紐付けて管理するクーポンデータがあるか否かにより判定する判定工程と、前記商品選択画面表示制御工程で表示するように制御された前記商品選択画面を介して、前記ユーザから選択を受け付けた商品の購入手続を行う指示を受け付ける購入手続指示受付工程と、前記購入手続指示受付工程で購入指示を受け付けた前記商品の購入手続に係る画面を表示するように制御する表示制御工程であって、前記判定工程で、前記ユーザがクーポンデータを所有していると判定されることを条件に、クーポンデータを使用するためのクーポン情報入力領域を有する前記商品の購入手続に係る画面を表示すように制御し、一方、前記ユーザがクーポンデータを所有していないと判定されることを条件に、当該画面を表示することなく、前記クーポン情報入力領域を有してない前記商品の購入手続に係る画面を表示するように制御する表示制御工程と、前記表示制御工程で表示するように制御された前記クーポン情報入力領域を有する前記商品の購入手続に係る画面を介して、ユーザが使用するクーポンデータを示す情報の入力を受け付けるクーポン情報入力受付工程とを備えることを特徴とする。
【手続補正６】
【補正対象書類名】明細書
【補正対象項目名】００１３
【補正方法】変更
【補正の内容】
【００１３】
また、本発明は、各ユーザが所有するクーポンを示すクーポンデータを、当該クーポンデータを所有するユーザ情報と紐付けて管理する管理手段を備える情報処理装置で読み取り実行可能なプログラムであって、前記情報処理装置を、ユーザが購入可能な商品の選択画面を表示するように制御する商品選択画面表示制御手段と、前記ユーザがクーポンデータを所有しているか否かを、前記管理手段に当該ユーザ情報と紐付けて管理するクーポンデータがあるか否かにより判定する判定手段と、前記商品選択画面表示制御手段で表示するように制御された前記商品選択画面を介して、前記ユーザから選択を受け付けた商品の購入手続を行う指示を受け付ける購入手続指示受付手段と、前記購入手続指示受付手段で購入指示を受け付けた前記商品の購入手続に係る画面を表示するように制御する表示制御手段であって、前記判定手段により、前記ユーザがクーポンデータを所有していると判定されることを条件に、クーポンデータを使用するためのクーポン情報入力領域を有する前記商品の購入手続に係る画面を表示すように制御し、一方、前記ユーザがクーポンデータを所有していないと判定されることを条件に、当該画面を表示することなく、前記クーポン情報入力領域を有してない前記商品の購入手続に係る他の画面を表示するように制御する表示制御手段と、前記表示制御手段により表示するように制御された前記クーポン情報入力領域を有する前記商品の購入手続に係る画面を介して、ユーザが使用するクーポンデータを示す情報の入力を受け付けるクーポン情報入力受付手段として機能させることを特徴とする。
【手続補正７】
【補正対象書類名】明細書
【補正対象項目名】００１４
【補正方法】変更
【補正の内容】
【００１４】
本発明によれば、ユーザがクーポンデータを所有しているか否かによって、購入画面を異ならしめて表示させることで、ユーザがクーポンデータを所有していない場合における、ユーザの商品の購入意欲の低下を防止することができる。